(57)【要約】【課題】本発明は、安価で簡単に組立てでき、十分な明るさおよび通気性を有する電磁波シールドルームを提供することを課題とする。【解決手段】ハウス骨組みに導電性メッシュ１１を張設した電磁波シールドルーム１を提供する。電磁波シールドルーム１は、ハウス骨組みに張設された導電性メッシュ１１が、電磁波を遮蔽する。また電磁波シールドルーム１はハウス骨組みと導電性メッシュ１１からなるので軽量で移動や組み立ておよび製造が簡単で、屋外および屋内に容易に設置できる。また光は導電性メッシュ１１の網からルーム内部に透過でき、測定作業等に十分な明るさが得られるとともに通気性も確保される。【選択図】　図１
2004014979.tif 000002
【特許請求の範囲】
【請求項１】
ハウス骨組みに導電性メッシュを張設したことを特徴とする電磁波シールドルーム
【請求項２】
該導電性メッシュは繊維の直径が０．０２５ｍｍ〜０．０５ｍｍで、１５０メッシュ〜３００メッシュに設定されている請求項１に記載の電磁波シールドルーム。
【請求項３】
該ハウス骨組みはアルミニウムパイプを材料とする請求項１または２に記載の電磁波シールドルーム。
【発明の詳細な説明】
【０００１】
【発明の属する技術分野】
本発明は簡便に設置できる電磁波シールドルームに関するものである。
【０００２】
【従来の技術】
電子機器、電気機器、情報通信機器等が設置される部屋は、外部からの電磁波によるノイズを防ぐため、あるいはこれら機器からの電磁波が外部に漏洩する事を防ぐために、電磁波シールド手段が施される。
従来は上記部屋の壁を構築する際、フェライト等を混ぜ込んで電磁波シールド性を付与して電磁波シールドルームとしていた。
【０００３】
【発明が解決しようとする課題】
しかし、従来の手段では上記したように電磁波シールドルームという特別な設備を設けなければならず、設備費が莫大なものとなっていた。また壁は光を通さないので室内は暗く、通気性もない。さらにこのような電磁波シールドルームは移動させることは不可能であった。
【０００４】
【課題を解決するための手段】
本発明は上記従来の課題を解決するための手段として、ハウス骨組み（１２）に導電性メッシュ（１１）を張設した電磁波シールドルーム（１）を提供するものである。該導電性メッシュ（１１）は繊維の直径が０．０２５ｍｍ〜０．０５ｍｍで、１５０メッシュ〜３００メッシュに設定されていることが望ましく、該ハウス骨組み（１２）はアルミニウムパイプを材料とすることが望ましい。
【０００５】
【作用】
本発明の電磁波シールドルーム（１）は、ハウス骨組み（１２）に張設された導電性メッシュ（１１）が、電磁波を遮蔽する。
該電磁波シールドルーム（１）はハウス骨組み（１２）と導電性メッシュ（１１）からなるので軽量で移動や組み立ておよび製造が簡単で、屋外および屋内に容易に設置できる。また光は該導電性メッシュ（１１）の網からルーム内部に透過でき、測定作業等に十分な明るさが得られるとともに通気性も確保される。
また導電性メッシュ（１１）はリサイクル可能で、建築廃材やゴミ処理等の環境問題の心配がない。
【０００６】
【発明の実施の形態】
本発明を一実施例により説明すれば、図１に示す電磁波シールドルーム（１）は、無底の直方体状であり、ハウス骨組み（１２）に張設される導電性メッシュ（１１）とからなる。
【０００７】
図２に示すハウス骨組み（１２）は例えばアルミ等の軽量金属からなるフレームパイプ（１２ａ）がジョイント（１２ｂ）により直方体状に連結して形成されている。また所望により筋交いを上記ハウス骨組み（１２）の角部において連結されているフレームパイプ（１２ａ）相互間に差し渡せば、よりハウス骨組み（１２）の強度を高められる。
なお、該フレームパイプはステンレススチール等の他の金属または合成樹脂製であってもよい。
【０００８】
該メッシュはあらかじめ縫製等によってハウス骨組み（１２）のサイズに合わせて、天井部（１１ａ）、該天井部（１１ａ）四辺から垂下されている側面部（１１ｂ）からなる無底直方体上に加工されている。
該側面部（１１ｂ）の一つには縦にスリットが設けられ、出入り口（１３）を形成している。該スリットの隙間から電磁波が進入することを防ぐため、該スリットの両端縁は重ね合わせ可能にされていることが望ましい。
【０００９】
該導電性メッシュ（１１）は金属繊維、炭素繊維、ビニロン導電系等からなり、強度の点からみて、アモルファスな金属繊維やビニロン導電系が望ましい。
また該導電性メッシュ（１１）は通常繊維の直径が０．０２５ｍｍ〜０．０５ｍｍで、１５０メッシュ〜３００メッシュ、好ましくは０．０３５ｍｍ〜０．０４５ｍｍで、１８０メッシュ〜２２０メッシュに設定される。メッシュがこの範囲で設定されていると、電磁波を十分に遮蔽するとともに、良好な光透過性および通気性が確保できる。
【００１０】
本発明の電磁波シールドルーム（１）を組立てるには、フレームパイプ（１２ａ）相互をジョイント（１２ｂ）によって連結してハウス骨組み（１２）を組み立てる。そして該ハウス骨組み（１２）に導電性メッシュ（１１）を張設する。
該フレームパイプ（１２ａ）は軽量であり簡単に組立てできる。また該導電性メッシュ（１１）はあらかじめ直方体状に形成されているので、何ら継合作業を要することなく、該導電性メッシュ（１１）を広げてハウス骨組み（１２）に覆い被せるだけで電磁波シールドルーム（１）を組立てできる。
【００１１】
このようにして組立てられた電磁波シールドルーム（１）は外周全体が導電性メッシュ（１１）で被覆され、電磁波は遮蔽される。したがって該電磁波シールドルーム（１）内部では外来電磁波の影響を受けることなくＥＭＩ測定や各種電子機器等のノイズ測定ができる。また内部からの電磁波も遮蔽できる。
【００１２】
該電磁波シールドルーム（１）は上記と逆の手順により簡単に解体できる。解体後は導電性メッシュ（１１）は折り畳んで小さくまとめることができ、ハウス骨組み（１２）もフレームパイプ（１２ａ）で収納性に便利である。
【００１３】
また、脚部となるフレームパイプを望遠鏡状に伸縮または中間にヒンジを介在させて折畳み可能に形成すれば、短縮あるいは折り畳み状態でハウス骨組みを組み立て、かかる状態で導電性メッシュを覆い被せた後、該フレームパイプを伸長させれば、電磁波シールドルームはさらに容易に組立てできる。
【００１４】
【実施例１】
アルミニウムパイプフレームにより縦３ｍ、横３ｍ、高さ２ｍのハウス骨組みを形成し、繊維の直径が０．０４ｍｍで、２００メッシュのステンレスメッシュにより該ハウス骨組みに適合する導電性メッシュを形成した。該導電性メッシュをハウス骨組みに覆い被せて電磁波シールドルームを形成し、ルーム内部の電磁波シールド性能を測定した結果を図３および図４に示す。
【００１５】
図３および図４より、高周波帯（１０Ｍｈｚ〜１Ｇｈｚ）において５０〜６０ｄＢの減衰が得られたことがわかる。またルーム内部の光透過率は３３％であり、測定作業に十分な明るさが得られた。実施例１の電磁波シールドルームの重量は５ｋｇであり、移設や組み立てが簡単にできた。また実施例１の電磁波シールドルームの物性は表１の通りであった。
【００１６】
【表１】
2004014979.tif 000003
【００１７】
表２より本実施例の電磁波シールドルームは十分な引張強度および耐熱性を有し、また難燃性であるので安全性も高いことが示される。さらに、ステンレスメッシュは容易に再生できる。
【００１８】
【実施例２】
アルミニウムパイプフレームにより縦２ｍ、横２ｍ、高さ２ｍのハウス骨組みを形成し、繊維の直径が０．０３５ｍｍで、１３５メッシュの導電性繊維のメッシュにより該ハウス骨組みに適合する導電性メッシュを形成した。該導電性メッシュをハウス骨組みに覆い被せて電磁波シールドルームを形成し、ルーム内部の電磁波シールド性能を測定したところ、高周波帯（１０Ｍｈｚ〜１Ｇｈｚ）において４８〜５２ｄＢの減衰が得られた。またルーム内部の光透過率は４８％であり、測定作業に十分な明るさが得られた。実施例２の電磁波シールドルームの重量は２ｋｇであり、移設や組み立てが非常に簡単にできた。また実施例２の電磁波シールドルームの物性は表２の通りであった。
【００１９】
【表２】
2004014979.tif 000004
【００２０】
表２より本実施例の電磁波シールドルームは十分な引張強度および耐熱性を有していることが示される。さらに導電性繊維は容易に再生できる。
【００２１】
【実施例３】
アルミニウムパイプフレームにより縦２ｍ、横２ｍ、高さ２ｍのハウス骨組みを形成し、表面に非導電性の塗料で表面をコーティングした直径が０．０４５ｍｍで、１５０メッシュの導電性繊維により該ハウス骨組みに適合する導電性メッシュを形成した。該導電性メッシュをハウス骨組みに覆い被せて電磁波シールドルームを形成し、ルーム内部の電磁波シールド性能を測定したところ、高周波帯（１０Ｍｈｚ〜１Ｇｈｚ）において５８〜６４ｄＢの減衰が得られた。またルーム内部の光透過率は４５％であり、測定作業に十分な明るさが得られた。実施例３の電磁波シールドルームの重量は２．５ｋｇであり、移設や設置が非常に簡単にできた。また実施例３の電磁波シールドルームの物性は表３の通りであった。
【００２２】
【表３】
2004014979.tif 000005
【００２３】
表３より実施例３の電磁波シールドルームは十分な引張強度および耐熱性を有し、難燃性であって、表面伝導性がなく安全性が高いことが示される。
【００２４】
本発明の電磁波シールドルームは直方体に限らず、ドーム状やアーチ状、三角錐や四角錘体であってもよい。また出入り口はメッシュの所定箇所に下縁から左右一対の縦スリットを設けて巻き上げて開閉してもよい。
【００２５】
また本発明の電磁波シールドルームは導電性メッシュを二重またはそれ以上に重ねて被着してもよい。導電性メッシュを二重またはそれ以上に重ねて被着するとシールド性能は重ねた枚数に比例して高くなる。
【００２６】
【発明の効果】
本発明の電磁波シールドルームは、安価に製造でき、屋外屋内を問わず様々な場所に簡単に組立てでき、移設も簡単にできる。またルーム内部に十分な明るさおよび通気性が確保され、作業環境が良好である。さらにリサイクル可能である。
【図面の簡単な説明】
図１および図２は本発明の一実施例を示すものである。
【図１】斜視図
【図２】ハウス骨組みの斜視図
【図３】遮蔽前のノイズ強度
【図４】遮蔽後のノイズ強度
【符号の説明】
１　　　　　電磁波シールドルーム
１２　　　　ハウス骨組み
【図１】
2004014979.tif 000006
【図２】
2004014979.tif 000007
【図３】
2004014979.tif 000008
【図４】
2004014979.tif 000009